(57)【要約】  本発明は、患者又は第３者に労を掛けることなく注射器プランジャを徐々に移動可能とする注射器用の注入器装置に関するものである。本発明では、注射器のバレル（１）が第１支持部（５）に垂直に挿入されるキャビティ（６）を持つ第１支持部（５）と、前記キャビティ（６）の周縁上で搭載する注射器のフランジ（２）と、注射器プランジャ（３）が搭載する第２支持部（９）とを備える。前記第２支持部（９）は、前記第１支持部（５）と前記円筒バレル（１）の内部のプランジャ（３）を押す平行ガイド（８）の最終端との間で、前記第１支持部（５）から延びる前記並行ガイド（８）に沿って手動で案内される。
2008544787.tif 000002
【特許請求の範囲】
【請求項１】
必須の円筒バレル（１）から成る注射器に適用される際、その根元部上で少なくとも一つのラテラルフランジ（２）を備え、且つ、その端部上で先端を有し、その内部ではその根元部上でプッシュフランジ（４）を持つプランジャ（３）を移動する、注射器用の注入器装置であって、
前記注射器のバレル（１）が第１支持部（５）に垂直に挿入されるようにキャビティ（６）を備え、前記注射器が前記第１支持部（５）の内壁に前記キャビティ（６）の周縁上で前記フランジ（２）によって搭載する第１支持部（５）と、
前記注射器のプッシュフランジ（４）の搭載及び幾つかの平行ガイド（８）上に手動で案内された移動に対し、前記第１支持部（５）と前記円筒バレル（１）の内部のプランジャ（３）を押す前記平行ガイド（８）の最終端との間で、前記第１支持部（５）から開始している第２支持部（９）と、
を含むことを特徴とする注射器用の注入器装置。
【請求項２】
前記キャビティ（６）は、前記第１支持部（５）の両側の一方で形成されたU形状部を持つことを特徴とする請求項１に記載の注射器用の注入器装置。
【請求項３】
前記キャビティ（６）は、前記先端によってその後半を通じて導入される前記注射器の円筒バレル（１）の直径より少し大きい直径を持つ円形開口部から成ることを特徴とする請求項１に記載の注射器用の注入器装置。
【請求項４】
前記第２支持部（９）は、前記プッシュフランジ（４）が前記プランジャ（３）の動作中に位置的安定性を促進するように挿入される前記第１支持部（５）の一方に反対側のアーチ形状壁に統合することを特徴とする請求項１に記載の注射器用の注入器装置。
【請求項５】
前記平行ガイド（８）の最終端は、夫々のストッパーと共に仕上げられていることを特徴とする請求項１に記載の注射器用の注入器装置。
【請求項６】
前記第１支持部（５）に平行な第３の支持部（７）は、前記平行ガイド（８）の最終端に接続されていることを特徴とする請求項１に記載の注射器用の注入器装置。
【発明の詳細な説明】
【技術分野】
【０００１】
本発明は、注射器用の適用、特に、本体へある程度の密度の流体を導入するのに使用される注射器用のものに関するものである。
【背景技術】
【０００２】
薬学の分野では、エージング人口及び発達により、家庭で衛生援助用の要求がより大きく増大する状況が生じている。
【０００３】
幅広いグループの病気に係る合併症すなわち結果の一つは、患者が受ける保証の内、例えば、径鼻胃管を置くのに必要性を決定する嚥下の変化又は嚥下困難において存在する。嚥下困難の原因となり得る病気は、数ある中で、例えば、痴呆症のような変性病気を含み、患者は、気管切開、神経筋及び腫瘍を被る。
【０００４】
プロセスを付与する前記管においては、液状食物は、一般的には、水の濃度より高い濃度で前記管を通じて管理され、かなりの大きさの注射器は、こうして、この目的のために使用される。この理由のため、径鼻胃管を介して食物を注入可能にするために注射器プランジャを移動するのに必要な圧力は、非常に高い。これは、結果としては、既存の縮小サイズから成る注射器の横行フランジ上に押出圧力を与えることにより、患者に多大な苦痛を与え得る。また、き毎日の基礎及び1日に数回実行される手順を加えるならば、繰り返される微小トラウマは、時間を越えて治療上の悪影響を与える、その上、リューマチプロセスをもった個人の場合に発生する遥かに大きな確率で原因となり得る。また、患者の指及び手に起こり得る痛みを、考慮に入れなくてはいけない。
【０００５】
同様に、ダイエットが必要な患者に提供するために援助者の参加に伴う進行性不快（軽い病気）の場合がある。
【０００６】
本発明の技術領域に関連したある特許を次に記載する。
【０００７】
特許文献１（発明特許ES２１７６４５７）では、ピストンの移動に対応する一服を射出するために、管状カートリッジに押し込まれたピストンを含むタイプの内、交換可能なカートリッジの使用を通じて前記注射器の動作を促進することを意図する薬が服用された注入用の注射器が記載されている。
【０００８】
特許文献２（発明特許ES２１２８９６４）では、注射器プランジャの移動を決定するねじに協働されたモータをピストンタイプのハンドル及び筐体の内部で統合する、
機械的に動作され手動で制御された注射器が記載されている。
【０００９】
特許文献３（発明特許ES１０５５０６１）は、シリンダベースの方へプランジャを一定駆動する一以上の弾性の牽引要素で関連され、シリンダ内で軸方向に取り去り可能なプランジャを収納する注射器に関する。前記弾性の要素が備え付けられたピストンの取付点の間の距離は、可変であり、弾性要素の異なる長さ及びそれに従って異なる押圧を生成する異なる取付点を選択する可能性を提供する。
【特許文献１】発明特許ES２１７６４５７
【特許文献２】発明特許ES２１２８９６４
【特許文献３】発明特許ES１０５５０６１
【発明の開示】
【発明が解決しようとする課題】
【００１０】
本発明の課題は、患者又は第３者に必要な労を掛けることなく注射器プランジャを徐々に移動を促するための手段を備えられた簡単な構造を持ち、手動で動作可能な装置を形成することである。
【課題を解決するための手段】
【００１１】
本発明は、より大きな支持面を提供する目的のためにメカニズムを統合して注射器のプランジャを移動するときの指で励起された力を減少する目的の注射器用の注入器装置に関するものである。その結果、手又は関節を痛めずに、必要な適応圧力を減少させ、患者自身が外部援助の必要もなく単純な方法で自分に注入するのを可能とする。
【００１２】
前記注入装置は、第１支持部に関して平行ガイドに沿って案内方向に移動する第１及び第２支持部から成る。
【００１３】
前記第１支持部は、注射器の円筒バレルと交差するキャビティ６を提供し、前記キャビティは、前記注射器のバレルのベースを構成するフランジを搭載する周縁で構成される。このキャビティは、可能な実施例では、前記第１支持部の一方に形成されたU形状部で構成される。例えば、それは、注射器のバレルが先端で導入されバレルの直径より少し大きいのを提供する円形開口部であり得る。
【００１４】
プランジャまたはプッシュフランジのベースは、移動可能な第２の支持部の両面の一方に搭載し、こうして、配置される結果、圧力が前記第２支持部に加わるとき、プランジャは、進行するように加圧され、中に含まれる粘性流体を押すシリンダを徐々に管方向に貫通する。例えば、前記第２支持部が備える広い面は、前記第１支持部の外部面を支持した外圧に、両親指で前記第２支持部を両手で適用するのを許容し、シリンダ内の方にほとんど抵抗なくプランジャを向け、ある密度の流体のために特に有益であるのを証明するものである。
【００１５】
前記第２支持部の最大の行程は、前記第１支持部とこの第１支持部で開始する平行ガイドの最終端との間で存在する距離で定義される。任意なこととしては、プランジャまたはプッシュフランジのベースが挿入されるアーチ形状部、前記第１支持部の反対壁に統合するように前記第２支持部用に提供される。
こうして、プランジャの行程中に位置的な安定を促進し望まない移動を回避する。
【００１６】
夫々のストッパーは、第２支持部の外れ防止及び上述したように最大行程を決定する平行ガイドの最終端に見い出されるが、前記ストッパーは、第３支持部と代用され得る。
【００１７】
従って、提案された装置の構成に従って、患者が最小圧力を加えだけする間この注射器で密度ある食品を導入することができる。
【発明を実施するための最良の形態】
【００１８】
本発明について付与される詳細を述べると共に、特徴をより良く理解するのを助ける目的のために、後述する好ましい実施例に従って、限定的な文言でなく詳細な説明を図示する全体の部分として一組の図面が含まれている。
【００１９】
図面を参照して、本発明の目的を達成する注射器装置の好ましい実施例をここで述べる。必須の円筒バレル（１）から成る従来の注射器に適用される際、そのベース（根元部）上で少なくとも一つのラテラルフランジ（２）を備え、その内部ではその根元部上でプッシュフランジ（４）を持つプランジャ（３）を移動する。
【００２０】
図３に示されるように、注入器装置は、注射器のバレル（１）が第１支持部（５）に垂直に挿入されるキャビティ（６）を持ち、前記注射器が、前記第１支持部（５）の内壁に前記キャビティ（６）の周縁上で前記フランジ（２）によって搭載した第１支持部（５）と、前記注射器のプッシュフランジ（４）の搭載及び幾つかの平行ガイド（８）上に手動で案内された移動に対するもので、前記第１支持部（５）と前記円筒バレル（１）の内部のプランジャ（３）を押す前記平行ガイド（８）の最終端との間で、前記第１支持部（５）から開始する第２支持部（９）とから成る。  
【００２１】
前記平行ガイド（８）の最終端は、最大行程の境界まで第２支持部（９）の偶発的な外れを防止する夫々のストッパーと共に仕上げられ得るし、或いは又、二者択一的に第１支持部（５）に平行な第３支持部（７）が前記最終端に接続され得る。
【００２２】
図１で図示されるように、前記キャビティ（６）は、前記第１支持部（５）の両側の一方で形成されたU形状部から成る。
【００２３】
図４では、第１支持部（５）上のフランジ（２）で支持された注射器のバレル（１）が位置決めされるように観察可能である。
【００２４】
図２及び図３では、本発明の目的達成の装置の２つの動作シーケンスを外観可能である。図２では、プランジャ（３）が完全に延びている時は、両手使用で第２支持部（９）に圧力が励起されており、固定位置に第１支持部（５）を保持し、第２支持部（９）は、図３に示されるように、バレル（１）の内部方向にプランジャ（３）を押す努力はほとんど無く、移動される。
【図面の簡単な説明】
【００２５】
【図１】注射器のない本発明の目的である装置を外観可能な斜視図を示す。
【図２】注射器がプランジャの最大延長位置用に搭載されて外観される注入器装置の斜視図を示す。
【図３】注入器装置の動作で注射器プランジャの圧力中に中間位置用の注入器装置の斜視図を示す。
【図４】第１支持部の部材の周縁上に搭載する注射器のフランジを外観可能な注射器搭載の注入器装置の特徴の斜視図を示す。
【符号の説明】
【００２６】
１    円筒バレル
２    ラテラルフランジ
３    プランジャ
４    プッシュフランジ
５    第１支持部
６    キャビティ
７    第３支持部
８    平行ガイド
９    第２支持部
【図１】
2008544787.tif 000003
【図２】
2008544787.tif 000004
【図３】
2008544787.tif 000005
【図４】
2008544787.tif 000006
【国際調査報告】
2008544787.tif 000007
2008544787.tif 000008
2008544787.tif 000009
2008544787.tif 000010